(57)【要約】      （修正有）【課題】ケージエプロンを備えたエレベータケージ用の装置を形成し、その装置によって、ケージエプロンと、シャフトドアを含む反対側のシャフト壁との間の空気流によって生成される風切音を、簡単な手段によって、経済的で動作上信頼できる方法で低減できるようにする。【解決手段】エレベータケージ５を備えたエレベータ設備であって、エレベータケージ５は、シャフトドアを備えたエレベータシャフト４内で移動し、シャフトドア側のシャフト壁３の面に平行に配置された少なくとも１つのケージエプロン８、９を有する。エレベータ設備は、シャフト壁３とケージエプロン８、９の間で起こる空気流によって生じる騒音を低減するための装置を備え、この装置は、騒音を低減するために、ケージエプロンの領域内に取り付けられた吸音手段を備えている。【選択図】図１
2006327825.tif 000002
【特許請求の範囲】
【請求項１】
シャフトドア（２）を有するエレベータシャフト（４）内で移動するエレベータケージ（５）を備えた、エレベータ設備であって、
エレベータケージ（５）は、シャフトドア側のシャフト壁（３）の平面にほぼ平行に配置された少なくとも１つのケージエプロン（８、９）を有し、
ケージエプロン（８、９）の領域内で生じる騒音を低減するための装置が設けられ、
装置は、ケージエプロン（８、９）の領域内に取り付けられた吸音手段（８．３、８．３．１、８．３．２、８．３．３、８．４）を備えることを特徴とする、エレベータ設備。
【請求項２】
装置が、シャフトドアエプロン（１５）の領域内に取り付けられた吸音手段（１５．１）をさらに備えることを特徴とする、請求項１に記載のエレベータ設備。
【請求項３】
吸音手段（８．３、１５．１）が、少なくとも１つの共振型吸音体の形状であることを特徴とする、請求項１または２に記載のエレベータ設備。
【請求項４】
吸音手段（８．３、８．３．１、８．３．２、８．３．３、８．４、１５．１）が、少なくとも１つの多孔質吸音層（８．３）の形状で存在していることを特徴とする、請求項１または２に記載のエレベータ設備。
【請求項５】
多孔質吸音層（８．３）が、ケージエプロン（８、９）の主平面（８．１）と平行に配置されていることを特徴とする、請求項４に記載のエレベータ設備。
【請求項６】
多孔質吸音層が、予め形成された多孔質の板の形状であることを特徴とする、請求項４または５に記載のエレベータ設備。
【請求項７】
多孔質吸音層（８．３）は、以下の材料、すなわち、
・  鉱物繊維、
・  有機繊維、
・  開放気泡発泡体材料、
のうち１つ以上からなることを特徴とする、請求項４から６のいずれか一項に記載のエレベータ設備。
【請求項８】
多孔質吸音層（８．３）が、吸音材料からできた単一層または各種の吸音材料からできた複数の部分層（８．３．１、８．３．２）を含むことを特徴とする、請求項４から７のいずれか一項に記載のエレベータ設備。
【請求項９】
振動板（８．３．３）が部分層（８．３．１、８．３．２）の間に挿入されていることを特徴とする、請求項８に記載のエレベータ設備。
【請求項１０】
多孔質吸音層（８．２）の厚みは、シャフトドア側のシャフト壁（３）の平面に直角に測定すると、２０ミリメートルから２００ミリメートル、好ましくは５０ミリメートルから１５０ミリメートルであることを特徴とする、請求項４から９のいずれか一項に記載のエレベータ設備。
【請求項１１】
ケージエプロン（８）がエプロンの主平面（８．１）に平行に配置された金属板（７）を備え、多孔質吸音層（８．３）が金属板（７）にシャフトドア側のシャフト壁（３）から離れた面で支持されていることを特徴とする、請求項４から１０のいずれか一項に記載のエレベータ設備。
【請求項１２】
ケージエプロン（８）の主平面（８．１）を形成する金属板（７）が、直径が２ミリメートルから２０ミリメートルの間である複数の円形孔（８．４）を有し、ケージエプロン（８）の主平面（８．１）の全面積に対する孔の面積の割合は少なくとも３０％であることを特徴とする、請求項１１に記載のエレベータ設備。
【請求項１３】
多孔質吸音層（８．３）が、第２の金属板（８．２．２）に対してケージエプロンの主平面（８．１）から離れた側で支持されていることを特徴とする、請求項１１または１２に記載のエレベータ設備。
【請求項１４】
ケージエプロン（８、９）が、エレベータケージ（５）の空気力学特性を向上させるケージライニング（１３）の一部であることを特徴とする、請求項１から１３のいずれか一項に記載のエレベータ設備。
【発明の詳細な説明】
【技術分野】
【０００１】
本発明の主題は、シャフトドアを有するエレベータシャフト内で移動するエレベータケージを備えたエレベータ設備であって、エレベータケージは少なくとも１つのケージエプロンを有し、シャフト壁とケージエプロンとの間で生じる空気流の結果生じる騒音を低減する装置がケージエプロン領域内に存在する。
【背景技術】
【０００２】
ケージエプロンは板状の部材であり、典型的には、ドア側にあるエレベータケージの前面領域内で、エレベータケージの下側から下方にまたはエレベータケージの上側から上方に約１メートルの長さで突き出る。ケージエプロンは、一方では、エレベータケージが階の高さでちょうど止まらなかった場合に、ケージドアの敷居とシャフトドアの敷居との間に乗客のつま先がはまり込むのを防ぐよう働く。他方では、ケージエプロンは、ケージの敷居が階のフロアよりかなり上方に位置している間に満員のエレベータケージから乗客が避難する必要がある場合に、乗客がエレベータシャフト内に落下しないようにする。高速のエレベータケージの場合、ケージエプロンは、エレベータケージの前面とシャフトドア側のエレベータシャフトの壁との間に、できるだけ薄い空気流路を生成する働きも有する。
【０００３】
このような装置が特開２００１−３１６０６０号公報から周知である。空気流の結果としてエレベータケージの下側または上側ケージエプロン領域で生じる風切音が、音声発信機により減衰される。これは、反対側のシャフト壁から離れた側でケージエプロン領域内に取り付けられ、センサで検出された風切音の音波を逆位相の音波によって打ち消す音波を生成する。
【０００４】
特開２００１−３１６０６０号公報で開示された装置では、必要な構成部品を備えるための費用が高くなる。さらに、取付けが複雑で、取付けおよびメンテナンス担当者による特別な知識を要する。さらに、そのような複雑な電子／音響システムは、通常は故障発生源となる。
【特許文献１】特開２００１−３１６０６０号公報
【発明の開示】
【発明が解決しようとする課題】
【０００５】
本発明は、導入部分で述べた種類のエレベータ設備で、従来技術として引用された装置の上記不具合を有しないエレベータ設備を提案することを目的とする。したがって、より詳細には、ケージエプロンを備えたエレベータケージ用の装置を形成し、その装置によって、ケージエプロンと、シャフトドアを含む反対側のシャフト壁との間の空気流によって生成される風切音を、簡単な手段によって、経済的で動作上信頼できる方法で低減できる。
【課題を解決するための手段】
【０００６】
本発明によれば、本発明の目的は、少なくとも１つのケージ開口を含むエレベータケージを備えたエレベータ設備の場合、ケージエプロン領域に取り付けられた吸音手段を備えた装置を設けて、ケージエプロン領域で生じる騒音を低減することによって達成される。
【０００７】
したがって、本発明は、ケージエプロンを備えたエレベータケージの前面部と、反対側に置かれたシャフト壁との間で生じる空気流によって、エレベータケージの走行中に生じる風および騒音の発生と伝播とを、ケージエプロン領域に取り付けた吸音手段を用いて、減衰させる発想に基づいている。したがって、風切音が妨げられずにエレベータケージの乗客スペースに到達するか、またはエレベータシャフト内に伝搬することはない。
【０００８】
本発明で達成される利点は、本質的に、ケージエプロン領域で生じる風切音の減衰が経済的な手段で達成されることと、このような手段を取り付け、維持するのが余り複雑でなく、特別な熟練者を必要としないことに見られる。さらに、提案されている装置は、センサ、音声発信機および／または電子回路および配線を何ら必要としないため、作動故障の危険性を増大させる結果とならない。
【０００９】
本発明の有利な改良と実施は従属請求項から明らかであり、以下に述べる。
【００１０】
騒音低減に関して高い効果を有する本発明によるエレベータ設備の改良点は、吸音手段がシャフトドアのエプロン領域内にも取り付けられていることを含む。この場合の吸音手段は、有利には、２つのシャフトドア間の領域全体に広がる。２つの隣接するシャフトドア間の距離が大きい場合、シャフトドアエプロン１５がいずれの場合にも、例えばシャフトドアのエプロンの指定高さなど制限された高さのみを有することができる。
【００１１】
低周波領域の範囲内の騒音を低減するために、本発明の実施形態の一形態は、吸音手段が少なくとも１つの共振吸収材を備える場合に適している。共振吸収材は、例えば、好ましくは板状の構造形状で、ばね／質量共振吸収材または複合板共振器などの微細孔吸収材として構成することができる。
【００１２】
本発明の実施形態の特に好ましい形態は、吸音手段が、ケージエプロン領域内に取り付けられた多孔性の吸音層を備えることを含む。鉱物繊維、有機繊維、開放気泡発泡体材料などの好ましい材料は、本発明による多孔質吸音層で用いるのに適している。このような多孔質吸音層が吸収することによって、広い周波数スペクトルを有する騒音を減衰することができる。
【００１３】
本発明の実施形態の有利な形態によれば、吸音層はケージエプロンの主平面と平行に配置されている。主平面はケージエプロンの平面として示されており、このケージエプロンの平面は、ドア側のシャフト壁に対向し、かつドア側のシャフト壁またはドア側のエレベータケージの前面と平行に位置し、ケージドアの敷居の前面端部に整列している。
【００１４】
本発明の実施形態の別の好ましい形態によれば、吸音層は吸音材料で予め作られた板の形状で存在する。この吸音材料の板は、例えば、ケージエプロンの主平面を形成する金属箱内に保持されることができ、または（例えば、ケージエプロンの主平面を形成する金属板など）安定した金属板にのみ固定され、またはケージエプロンを形成する自立した構成部品であることができる。
【００１５】
広い周波数スペクトルの騒音の場合の良好な騒音減衰値は、鉱物繊維（例えば、ガラス繊維、ロックウール繊維、セラミック繊維）や有機繊維、開放気泡発泡体材料（例えばＰＵＲフォーム材料、メラミン樹脂フォーム材料）などでできた多孔質吸音層によって達成できる。さらに、各種材料の混合物でできた吸音層も使用できる。
【００１６】
吸音スペクトルの拡大に関する本発明の好ましい展開においては、多孔質吸収層が、ケージエプロンまたはシャフトドアエプロン領域に、各種の吸音材料でできた複数の部分層を含み、これにより大幅に異なる音声周波数の風切音を最適に減衰する。
【００１７】
有利には、好ましくは金属製であり、振動の中間質量として作用し、吸音動作を最適化する振動板が、吸音層の各部分層の間に挿入される。
【００１８】
経済的に有意義な減衰結果は、シャフトドア側のシャフト壁に対して直角に測定した厚さが２０ミリメートルから２００ミリメートル、好ましくは５０ミリメートルから１５０ミリメートルの多孔質吸音層で達成できる。
【００１９】
本発明の実施形態の有利な形態は、ケージエプロンが、エプロンの主平面に平行に置かれ、かつ多孔質吸音層が支持される金属板を備えることを含む。この場合の金属板は、吸音層を支持および保持する点で、ケージエプロンの安定部材を形成する。
【００２０】
有利には、多孔質吸音層はシャフトドア側のシャフト壁から離れた金属板の面に配置される。この配置の場合には、例えば導入部分で述べた、ケージエプロンの安全機能が呼び出されて機能する際に、金属板は乗客による機械的な損傷から吸音層を保護する。
【００２１】
本発明の実施形態の特に好ましい形態によれば、多孔質吸音層はシャフト壁側のシャフト壁から離れた金属板の面に配置され、金属板は複数の孔を有している。実験では、ケージエプロンの実施形態のこのような形態を用いると、金属板で完全に被膜される吸音層を備えた構造と比較して、吸音効果を明らかに改良できることが示されている。
【００２２】
エプロン板の孔が円形で、直径が２ミリメートルから２０ミリメートルで、全体の孔領域がケージエプロンの領域の少なくとも３０％を構成する場合に、良好な吸音結果が達成される。
【００２３】
吸音の追加の改良は、多孔質吸音層（８．３）が、ケージエプロンの主平面（８．１）から離れた側面で、第２金属板（８．２．２）に接して支持されることにより達成できる。
【００２４】
特に高速ケージを備えたエレベータの場合、吸音ケージエプロンは、有利には、ケージライニングの一部となることができ、ケージのライニングはエレベータケージの空力力学特性の向上に役立つ。
【００２５】
ケージの開口領域で空気流によって発生する騒音をさらに低減することは、ケージエプロンと対向しシャフトドア側にあるシャフト壁を、吸音層によってさらに覆うことで達成できる。理想的な場合には、シャフトドアのドアリーフも吸音コーティングされる。
【００２６】
本発明の実施形態の例を添付の図面によって以下に説明する。
【発明を実施するための最良の形態】
【００２７】
本発明によるエレベータ設備の一部が図１に示されており、この部分は、エレベータシャフト４のシャフトドア２を含むシャフト壁３と、エレベータシャフト４内に存在し、ケージドア６を有するエレベータケージ５とを備えている。ケージドアリーフは６．１で示され、ケージドア６の駆動部は６．２で示されている。下側吸音ケージエプロン８と上側吸音ケージエプロン９がそれぞれ、エレベータケージ５にしっかり固定されている。これらケージエプロンの、シャフト壁３に対向する各平面は主平面８．１および９．１と称される。下側および上側ケージエプロン８、９の主平面８．１、９．１は、ドア側のシャフト壁３またはドア側のエレベータケージ５の前面と平行で、エレベータケージでドア敷居１０の前面端部１０．１に整列して配置され、下側ケージエプロン８は、約１メートルの長さでドア敷居１０から垂直下方に突き出ており、上側ケージエプロン９はケージドア６の上側端部から垂直上方に突き出ている。
【００２８】
さらに、ドア側のシャフト壁３が、シャフト壁エプロン１５の形状の吸音手段によって、２つのシャフトドア２間で覆われていることが図１から認識できる。このような吸音シャフトドアエプロン１５は、有利には、２つのシャフトドア２の間の領域全体にわたって広がっている。しかし、２つの隣接するシャフトドア間の距離が大きい場合、制限された高さのみ、例えば指定されたシャフトドアエプロンの高さのみを有することもできる。
【００２９】
図２は、ドア側のエレベータケージ５の前面の、シャフトドア２から見た図を示している。エレベータケージの前面壁１２と、２つのドアリーフ６．１とドア駆動部６．２とを備えるケージドア６と、ドア敷居１０と、下側および上側吸音ケージエプロン８、９の主平面８．１、９．１とが見られる。ケージエプロンの幅Ｂは、エレベータケージ５の幅にほぼ一致している。ケージ幅とシャフト幅との間の様々な比率によって、およびエレベータケージの様々な最大進行速度によって、ケージエプロンの幅ＢＳは、エレベータケージの幅ＢＫから２０％の範囲で上下に異なる。
【００３０】
図３は、吸音層８．３を備えたケージエプロン８の取り付けの１つの可能な変形例を示している。吸音層８．３は安定した金属板７によってエレベータケージ５に固定されており、吸音層８．３はシャフトドア側のシャフト壁と対向し、ケージエプロン８の主平面８．１を形成している。
【００３１】
吸音層８．３を備えたケージエプロン８の取り付けの別の変形例が図４に示されている。実施形態のこの変形例の場合の吸音層８．３も同様に、安定した金属板７によってエレベータケージ５に固定されている。しかし、吸音層は、シャフト壁側のシャフト壁から離れた金属板７の面に固定されているため、金属板７がケージエプロン８の主平面８．１を形成している。金属板７は小型の板であってもよく、あるいは図６に関して以下に詳細に述べるように複数の孔を有していてもよい。
【００３２】
本発明による吸音（下側）ケージエプロン８の実施形態の好ましい形態が図５に示されている。ケージエプロン８は、前面側８．２．１と背面側８．２．２を備えた中空体を形成するフランジ付きの金属板ボックス８．２を備えている。この場合のケージエプロン８の前面側８．２．１はその主平面８．１に対応しており、導入部分で述べた安全性と風の案内機能を保証する。金属板ボックス８．２の空洞は吸音層８．３で充填され、この吸音層は金属板ボックス８．２の前面側８．２．１と背面側８．２．２に接して支持される。金属板ボックスの上側フランジ８．２．３は、ケージエプロン８をエレベータケージ５の下側で固定するように働く。鉱物繊維（例えばガラス繊維、ロックウール繊維、セラミック繊維）や有機繊維、開放気泡発泡体材料（例えばＰＵＲフォーム材料、メラミン樹脂フォーム材料）などの好ましい材料が、本発明による吸音層で用いられるのに適している。吸音層８．３はそのような材料の混合物から構成されてもよく、あるいは個々の部分層が異なった材料でできていることが好ましい、複数の部分層の形態で存在してもよい。部分層を含む複数の吸音層は、広い可聴周波数スペクトルの騒音を吸収するのに特に適している。
【００３３】
図６は、図３で開示したケージエプロン８の拡大詳細図を示している。吸音層８．３が異なった材料でできた２つの部分層８．３．１、８．３．２を含み、金属板８．３．３が部分層の間に挿入されていることが見られる。吸音層の実施形態のこのような形態によって、単一の吸音層のみを有するケージエプロンと比較して、吸音能力の向上と吸収スペクトルの拡大が達成できる。ケージの主平面８．１を形成し、安全性と風の案内機能を保証する前面側８．２．１が、複数の円形孔８．４を有していることも、図６によって示されている。実験では、主平面８．１を形成する吸音ケージエプロン８の前面側にこのような孔８．４が存在すると、吸音ケージエプロン８の吸音効果が著しく上がることが示されている。有利には、孔８．４の直径は２ミリメートルから２０ミリメートルで、全体で、ケージエプロン８の前面側８．２．１の面積の少なくとも３０％に対応する開いた面積を形成している。
【００３４】
図１および図２から、エレベータケージ５が、下側および上側流線形のケージライニング１３（一点鎖線で示された）を備え得ることが考えられる。このような場合、吸音ケージエプロンはこれらのケージライニング１３の一部として構成することができる。
【００３５】
エレベータケージを動かすことで生じる風切音を最適に低減するために、エレベータケージの別の部分を、極端な場合エレベータケージの外側面全体を、吸音手段で覆うこともできる。
【図面の簡単な説明】
【００３６】
【図１】シャフトドアを含み、吸音シャフトドアエプロンを備えたシャフト壁と、吸音ケージエプロンを有するエレベータケージとを備えた、エレベータ設備の概略断面を示す。
【図２】下側および上側ケージエプロンを備えたエレベータケージの前面の、シャフトドアから見た図を示す。
【図３】吸音層を備えたケージエプロンの第１の変形例を示す。
【図４】吸音層を備えたケージエプロンの第２の変形例を示す。
【図５】下側ケージエプロンの好ましい実施形態の斜視図を示す。
【図６】図５による下側ケージエプロンの拡大詳細図を示す。
【符号の説明】
【００３７】
２  シャフトドア
３  シャフト壁
４  エレベータシャフト
５  エレベータケージ
６  ケージドア
６．１  ケージドアリーフ
６．２  駆動部
７  金属板
８  下側吸音ケージエプロン
８．１、９．１  主平面
８．２  金属板ボックス
８．２．１  前面側
８．２．２  背面側
８．２．３  上側フランジ
８．４  円形孔
８．３  吸音層
９  上側吸音ケージエプロン
１０  ドア敷居
１０．１  前面端部
１２  前面壁
１３  ケージライニング
１５  シャフト壁エプロン
【図１】
2006327825.tif 000003
【図２】
2006327825.tif 000004
【図３】
2006327825.tif 000005
【図４】
2006327825.tif 000006
【図５】
2006327825.tif 000007
【図６】
2006327825.tif 000008
【外国語明細書】
2006327825.tif 000009
2006327825.tif 000010
2006327825.tif 000011
2006327825.tif 000012
2006327825.tif 000013
2006327825.tif 000014
2006327825.tif 000015
2006327825.tif 000016
2006327825.tif 000017
2006327825.tif 000018
2006327825.tif 000019
2006327825.tif 000020
2006327825.tif 000021